(57)【要約】【課題】ユーザが室温や湿度などの使用環境を考慮して、エアコンディショナと床暖房装置の運転条件を適切に設定すれば、エアコンディショナと床暖房装置の冷暖房能力のバランスが適正化される。しかし、ユーザが使用環境を考慮して、エアコンディショナと床暖房装置の運転条件を適切に設定することは難しいため快適性が損なわれることがある課題があった。【解決手段】運転条件記憶部２に記憶されているエアコンディショナ６や床暖房装置８等に関する運転条件の中から、運転モードに見合う運転条件を選択する。【選択図】　　　　図１
2004028438.tif 000002
【特許請求の範囲】
【請求項１】
エアコンディショナに関する複数の運転条件を記憶するとともに、床暖房装置に関する複数の運転条件を記憶する運転条件記憶手段と、上記運転条件記憶手段に記憶されている上記エアコンディショナ及び床暖房装置に関する運転条件の中から、運転モードに見合う運転条件を選択する条件選択手段と、上記条件選択手段により選択された運転条件にしたがって上記エアコンディショナ及び床暖房装置を制御する制御手段とを備えた冷暖房システム。
【請求項２】
エアコンディショナに関する複数の運転条件を記憶するとともに、床暖房装置に関する複数の運転条件を記憶する運転条件記憶手段と、上記運転条件記憶手段に記憶されている上記エアコンディショナ及び床暖房装置に関する運転条件の中から、使用環境に合致する運転条件を選択する条件選択手段と、上記条件選択手段により選択された運転条件にしたがって上記エアコンディショナ及び床暖房装置を制御する制御手段とを備えた冷暖房システム。
【請求項３】
送風機に関する複数の運転条件が運転条件記憶手段に記憶されている場合、条件選択手段が上記送風機に関する運転条件を選択して、制御手段が当該運転条件にしたがって上記送風機を制御することを特徴とする請求項１または請求項２記載の冷暖房システム。
【請求項４】
熱交換器に関する複数の運転条件が運転条件記憶手段に記憶されている場合、条件選択手段が上記熱交換器に関する運転条件を選択して、制御手段が当該運転条件にしたがって上記熱交換器を制御することを特徴とする請求項１から請求項３のうちのいずれか１項記載の冷暖房システム。
【請求項５】
熱交換器は、床暖房装置を構成するマットの配管に流れている温水又は冷水を利用して熱交換を行うことを特徴とする請求項４記載の冷暖房システム。
【請求項６】
制御手段は、床暖房装置を構成するマットの配管が複数系統敷設されている場合、運転条件にしたがって実際に温水又は冷水を流す配管を選択することを特徴とする請求項１から請求項５のうちのいずれか１項記載の冷暖房システム。
【請求項７】
制御手段は、床暖房装置を構成するマットに複数の配管が相互に交差するように敷設されている場合、運転条件にしたがって交差点に設置されているゲートを制御して、実際に温水又は冷水を流す配管のルートを決定することを特徴とする請求項１から請求項５のうちのいずれか１項記載の冷暖房システム。
【発明の詳細な説明】
【０００１】
【発明の属する技術分野】
この発明は、エアコンディショナや床暖房装置を連携運転する冷暖房システムに関するものである。
【０００２】
【従来の技術】
従来からエアコンディショナと床暖房装置から構成された冷暖房システムは存在するが、ユーザがエアコンディショナと床暖房装置の運転条件を個々に設定して運転するようにされていた。
したがって、エアコンディショナと床暖房装置の冷暖房能力のバランスが必ずしも適正化されず、快適性が損なわれることがある。
例えば、季節が冬のとき、床暖房装置の冷暖房能力と比べてエアコンディショナの冷暖房能力を強く設定し過ぎると、足元の冷えを感じながら頭部の火照りを感じるなどの状況が発生する。
【０００３】
【発明が解決しようとする課題】
従来の冷暖房システムは以上のように構成されているので、ユーザが室温や湿度などの使用環境を考慮して、エアコンディショナと床暖房装置の運転条件を適切に設定すれば、エアコンディショナと床暖房装置の冷暖房能力のバランスが適正化される。しかし、ユーザが使用環境を考慮して、エアコンディショナと床暖房装置の運転条件を適切に設定することは難しいため快適性が損なわれることがある課題があった。
【０００４】
この発明は上記のような課題を解決するためになされたもので、エアコンディショナ及び床暖房装置に関する最適な運転条件を選択して快適性を高めることができる冷暖房システムを得ることを目的とする。
【０００５】
【課題を解決するための手段】
この発明に係る冷暖房システムは、運転条件記憶手段に記憶されているエアコンディショナ及び床暖房装置に関する運転条件の中から、運転モードに見合う運転条件を選択するようにしたものである。
【０００６】
この発明に係る冷暖房システムは、運転条件記憶手段に記憶されているエアコンディショナ及び床暖房装置に関する運転条件の中から、使用環境に合致する運転条件を選択するようにしたものである。
【０００７】
この発明に係る冷暖房システムは、送風機に関する複数の運転条件が運転条件記憶手段に記憶されている場合、条件選択手段が送風機に関する運転条件を選択するようにしたものである。
【０００８】
この発明に係る冷暖房システムは、熱交換器に関する複数の運転条件が運転条件記憶手段に記憶されている場合、条件選択手段が熱交換器に関する運転条件を選択するようにしたものである。
【０００９】
この発明に係る冷暖房システムは、熱交換器が床暖房装置を構成するマットの配管に流れている温水又は冷水を利用して熱交換を行うようにしたものである。
【００１０】
この発明に係る冷暖房システムは、床暖房装置を構成するマットの配管が複数系統敷設されている場合、運転条件にしたがって実際に温水又は冷水を流す配管を選択するようにしたものである。
【００１１】
この発明に係る冷暖房システムは、床暖房装置を構成するマットに複数の配管が相互に交差するように敷設されている場合、運転条件にしたがって交差点に設置されているゲートを制御して、実際に温水又は冷水を流す配管のルートを決定するようにしたものである。
【００１２】
【発明の実施の形態】
以下、この発明の実施の一形態を説明する。
実施の形態１．
図１はこの発明の実施の形態１による冷暖房システムを示す構成図であり、図において、１は運転モードの指定を受け付ける運転モード受付部、２はエアコンディショナ６，送風機７，床暖房装置８及び熱交換器９に関する複数の運転条件を記憶する運転条件記憶部（運転条件記憶手段）、３は各運転モードに対応する運転条件を格納するモード／条件テーブル、４はモード／条件テーブル３を参照して、運転モード受付部１により受け付けられた運転モードに対応するエアコンディショナ６，送風機７，床暖房装置８及び熱交換器９の運転条件を検索する運転条件検索部である。なお、モード／条件テーブル３及び運転条件検索部４から条件選択手段が構成されている。
【００１３】
５は運転条件検索部４により検索された運転条件にしたがってエアコンディショナ６，送風機７，床暖房装置８及び熱交換器９を制御する制御部（制御手段）、６は室外機と熱交換を実施して温風又は冷風を送風するエアコンディショナ、７はエアコンディショナ６から送風された温風又は冷風を循環させる送風機、８はマットの配管に温水又は冷水を流して室内の温度を調整する床暖房装置、９は床暖房装置８を構成するマットの配管に流れている温水又は冷水を利用して熱交換を行う熱交換器である。
図２はこの発明の実施の形態１による冷暖房システムの処理内容を示すフローチャートである。
【００１４】
次に動作について説明する。
運転条件記憶部２には、予めエアコンディショナ６，送風機７，床暖房装置８及び熱交換器９に関する複数の運転条件が記憶され、モード／条件テーブル３には、予め各運転モードに対応する運転条件が格納される。
図３はモード／条件テーブル３の格納例であるが、図３の例では、７つの運転モードに対応するエアコンディショナ６等の運転条件が格納されている。
図３において、“冷”は冷房運転、“暖”は暖房運転、“微”は微風運転、“送”は送風運転、“ＯＦＦ”は運転停止を示している。ここでは説明の簡単のため、冷房運転や暖房運転の強弱レベル等を示していないが、実際には冷房運転や暖房運転の強弱レベル等が指定され、レベルに応じて運転モードの種類も拡張される。
【００１５】
冷暖房システムを利用する場合、まず、ユーザが運転モード受付部１を操作して、所望の運転モードを指定する。
ここでは、説明の便宜上、ユーザが春モード（１）を指定するものとする。
【００１６】
運転条件検索部４は、運転モード受付部１が運転モードの指定を受け付けると（ステップＳＴ１）、モード／条件テーブル３を参照して、その運転モードに対応するエアコンディショナ６，送風機７，床暖房装置８及び熱交換器９の運転条件を検索する（ステップＳＴ２）。この例では、ユーザが春モード（１）を指定しているので、エアコンディショナ６の運転条件として冷房運転、送風機７の運転条件として微風運転、床暖房装置８の運転条件として暖房運転、熱交換器９の運転条件として送風運転（送風運転の場合、熱交換を行わずにファンのみ駆動する）が検索される。
【００１７】
制御部５は、運転条件検索部４がエアコンディショナ６，送風機７，床暖房装置８及び熱交換器９の運転条件を検索すると、それらの運転条件にしたがってエアコンディショナ６，送風機７，床暖房装置８及び熱交換器９を制御する（ステップＳＴ３）。この例では、エアコンディショナ６を冷房運転、送風機７を微風運転、床暖房装置８を暖房運転、熱交換器９を送風運転させる。
【００１８】
ここで、図４は春モード（１）が指定された際の各機器の運転状況を示す説明図であり、春モード（１）は、春先において少し肌寒いときに利用されるモードであるため、床暖房装置８によって足元を暖める一方、頭部の火照りを抑えるためエアコンディショナ６から冷風が吹かれている。ただし、冷風が直接ユーザに当たる不快感を防止するため冷風を下向きに出力せずに、送風機７が微風運転を行うことにより、微風対流空間を作り出している。これにより、吹かれ感や温度むらのない空間を作り出すことができる。図４において、１０は室外機である。
【００１９】
なお、詳細は説明しないが、例えば、図５は春モード（２）が指定された際の各機器の運転状況を示す説明図であり、図６は冬モードが指定された際の各機器の運転状況を示す説明図である。
【００２０】
以上で明らかなように、この実施の形態１によれば、運転条件記憶部２に記憶されているエアコンディショナ６や床暖房装置８等に関する運転条件の中から、運転モードに見合う運転条件を選択するように構成したので、エアコンディショナ６や床暖房装置８等に関する運転条件の最適化が図られる結果、快適な空間を作り出すことができる効果を奏する。
【００２１】
実施の形態２．
図７はこの発明の実施の形態２による冷暖房システムを示す構成図であり、図において、図１と同一符号は同一または相当部分を示すので説明を省略する。
１１は室温を測定する温度センサ、１２は湿度を測定する湿度センサ、１３は温度センサ１１及び湿度センサ１２の測定結果から使用環境を把握し、運転条件記憶部２に記憶されている複数の運転条件の中から、その使用環境に合致するエアコンディショナ６，送風機７，床暖房装置８及び熱交換器９の運転条件を検索する運転条件検索部である。
なお、温度センサ１１、湿度センサ１２及び運転条件検索部１３から条件選択手段が構成されている。
図８はこの発明の実施の形態２による冷暖房システムの処理内容を示すフローチャートである。
【００２２】
次に動作について説明する。
冷暖房システムを利用するに際して、まず、温度センサ１１が室温を測定し、湿度センサ１２が湿度を測定する（ステップＳＴ１１）。
【００２３】
運転条件検索部１３は、温度センサ１１が室温を測定し、湿度センサ１２が湿度を測定すると、その測定結果から使用環境を把握する（ステップＳＴ１２）。
そして、運転条件検索部１３は、運転条件記憶部２に記憶されている複数の運転条件の中から、その使用環境に合致するエアコンディショナ６，送風機７，床暖房装置８及び熱交換器９の運転条件を検索する（ステップＳＴ１３）。
【００２４】
具体的には、図９に示すような使用環境と運転条件の対応関係を示すテーブルを参照して運転条件を検索する。例えば、温度が１８度未満で、湿度が６０％以上の場合、エアコンディショナ６の運転条件として暖房運転、送風機７の運転条件として微風運転、床暖房装置８の運転条件として暖房運転、熱交換器９の運転条件として暖房運転が検索される。
しかし、温度が１８度未満であっても、湿度が６０％未満の場合、湿度の低下を防止するため、エアコンディショナ６の運転条件として運転停止、送風機７の運転条件として微風運転、床暖房装置８の運転条件として暖房運転、熱交換器９の運転条件として送風運転（送風運転の場合、熱交換を行わずにファンのみ駆動する）が検索される。
【００２５】
制御部５は、運転条件検索部１３がエアコンディショナ６，送風機７，床暖房装置８及び熱交換器９の運転条件を検索すると、それらの運転条件にしたがってエアコンディショナ６，送風機７，床暖房装置８及び熱交換器９を制御する（ステップＳＴ４）。
【００２６】
以上で明らかなように、この実施の形態２によれば、運転条件記憶部２に記憶されているエアコンディショナ６や床暖房装置８等に関する運転条件の中から、使用環境に合致する運転条件を選択するように構成したので、エアコンディショナ６や床暖房装置８等に関する運転条件の最適化が図られる結果、快適な空間を作り出すことができる効果を奏する。
【００２７】
実施の形態３．
上記実施の形態１，２では、特に言及していないが、床暖房装置８を構成するマットの配管が複数系統敷設されている場合、制御部５が運転条件にしたがって実際に温水又は冷水を流す配管を選択するようにしてもよい。
図１０の例では、Ａ系統の配管と、Ｂ系統の配管と、Ｃ系統の配管とが敷設されており、例えば、床暖房装置８の運転を停止して、熱交換器９を冷房運転する運転条件が選択されたような場合には、制御部５が室外機１０を制御することによりマットの外周に敷設されているＣ系統の配管にのみ冷水を流すようにする。
また、熱交換器９の運転を停止して、床暖房装置８を弱めに暖房運転する運転条件が選択されたような場合には、制御部５が室外機１０を制御することによりＡ系統又はＢ系統の配管にのみ温水を流すようにする。
これにより、温水又は冷水が流れる領域が制限されるため、床暖房装置８を効率的に運転することができるとともに、更に快適性を高めることができる。
【００２８】
実施の形態４．
上記実施の形態３では、制御部５が室外機１０を制御することにより、実際に温水又は冷水を流す配管の系統を選択するものについて示したが、図１１に示すように、床暖房装置８を構成するマットに複数の配管が相互に交差するように敷設されている場合、運転条件にしたがって交差点に設置されているゲート２１〜３２を制御して、実際に温水又は冷水を流す配管のルートを決定するようにしてもよい。
例えば、領域Ｓにのみ温水又は冷水を供給する必要がある場合、ゲート２１，２２，２７，２８を開いて、他のゲートをすべて閉じるようにすればよい。
これにより、温水又は冷水が流れる領域が制限されるため、床暖房装置８を効率的に運転することができるとともに、更に快適性を高めることができる。
なお、エアコンディショナの冷房運転によって生じる余熱を床暖房に利用してもよい。これにより、エネルギーの有効利用が図られる。
【００２９】
【発明の効果】
以上のように、この発明によれば、運転条件記憶手段に記憶されているエアコンディショナ及び床暖房装置に関する運転条件の中から、運転モードに見合う運転条件を選択するように構成したので、エアコンディショナ及び床暖房装置に関する運転条件の最適化が図られる結果、快適な空間を作り出すことができる効果がある。
【００３０】
この発明によれば、運転条件記憶手段に記憶されているエアコンディショナ及び床暖房装置に関する運転条件の中から、使用環境に合致する運転条件を選択するように構成したので、エアコンディショナ及び床暖房装置に関する運転条件の最適化が図られる結果、快適な空間を作り出すことができる効果がある。
【００３１】
この発明によれば、送風機に関する複数の運転条件が運転条件記憶手段に記憶されている場合、条件選択手段が送風機に関する運転条件を選択するように構成したので、送風機に関する運転条件の最適化が図られる結果、快適な空間を作り出すことができる効果がある。
【００３２】
この発明によれば、熱交換器に関する複数の運転条件が運転条件記憶手段に記憶されている場合、条件選択手段が熱交換器に関する運転条件を選択するように構成したので、熱交換器に関する運転条件の最適化が図られる結果、快適な空間を作り出すことができる効果がある。
【００３３】
この発明によれば、熱交換器が床暖房装置を構成するマットの配管に流れている温水又は冷水を利用して熱交換を行うように構成したので、独自に温水や冷水を生成することなく、温風又は冷風を出力することができる効果がある。
【００３４】
この発明によれば、床暖房装置を構成するマットの配管が複数系統敷設されている場合、運転条件にしたがって実際に温水又は冷水を流す配管を選択するように構成したので、床暖房装置を効率的に運転することができるとともに、更に快適性を高めることができる効果がある。
【００３５】
この発明によれば、床暖房装置を構成するマットに複数の配管が相互に交差するように敷設されている場合、運転条件にしたがって交差点に設置されているゲートを制御して、実際に温水又は冷水を流す配管のルートを決定するように構成したので、床暖房装置を効率的に運転することができるとともに、更に快適性を高めることができる効果がある。
【図面の簡単な説明】
【図１】この発明の実施の形態１による冷暖房システムを示す構成図である。
【図２】この発明の実施の形態１による冷暖房システムの処理内容を示すフローチャートである。
【図３】モード／条件テーブルの格納例を示す説明図である
【図４】春モード（１）が指定された際の各機器の運転状況を示す説明図である。
【図５】春モード（２）が指定された際の各機器の運転状況を示す説明図である。
【図６】冬モードが指定された際の各機器の運転状況を示す説明図である。
【図７】この発明の実施の形態２による冷暖房システムを示す構成図である。
【図８】この発明の実施の形態２による冷暖房システムの処理内容を示すフローチャートである。
【図９】使用環境と運転条件の対応関係を示すテーブル図である。
【図１０】マットに敷設されている配管を示す説明図である。
【図１１】マットに敷設されている配管を示す説明図である。
【符号の説明】
１　運転モード受付部、２　運転条件記憶部（運転条件記憶手段）、３　モード／条件テーブル（条件選択手段）、４　運転条件検索部（条件選択手段）、５制御部（制御手段）、６　エアコンディショナ、７　送風機、８　床暖房装置、９　熱交換器、１０　室外機、１１　温度センサ（条件選択手段）、１２　湿度センサ（条件選択手段）、１３　運転条件検索部（条件選択手段）、２１〜３２　ゲート。
【図１】
2004028438.tif 000003
【図２】
2004028438.tif 000004
【図３】
2004028438.tif 000005
【図４】
2004028438.tif 000006
【図５】
2004028438.tif 000007
【図６】
2004028438.tif 000008
【図７】
2004028438.tif 000009
【図８】
2004028438.tif 000010
【図９】
2004028438.tif 000011
【図１０】
2004028438.tif 000012
【図１１】
2004028438.tif 000013